(57)【要約】【課題】持ち運びがしやすく、設置面に確実に固定することができるウィッグスタンドを提供することを課題とする。【解決手段】支柱２と、支柱２の一端側に形成されウィッグＷを取り付けるウィッグ取付部３と、支柱２の他端側に形成された複数の脚２２と、を有し、各脚２２の先端に、設置面Ｓに着脱可能な吸盤６が取り付けられていることを特徴とする。各脚２２の先端に吸盤６が取り付けられているため、設置面Ｓに対してウィッグスタンド１を確実に固定できる。また、吸盤６であるため着脱も容易となる。【選択図】図１
0003170222.tif 000002
【実用新案登録請求の範囲】
【請求項１】
支柱と、
前記支柱の一端側に形成されウィッグを取り付けるウィッグ取付部と、
前記支柱の他端側に形成された複数の脚と、を有し、
各前記脚の先端に、設置面に着脱可能な吸盤が取り付けられていることを特徴とするウィッグスタンド。
【請求項２】
前記脚の先端と前記吸盤とはボールジョイントを介して連結されていることを特徴とする請求項１に記載のウィッグスタンド。
【請求項３】
前記吸盤と前記設置面との間に介設する介設シートを有し、この介設シートの前記吸盤側の面には前記吸盤が吸着する被吸着層が形成されており、前記設置面側の面には粘着層が形成されていることを特徴とする請求項１又は請求項２に記載のウィッグスタンド。
【考案の詳細な説明】
【技術分野】
【０００１】
本考案は、ウィッグを固定するウィッグスタンドに関する。
【背景技術】
【０００２】
美容師、理容師又はこれらの見習い等がカット、パーマ、ヘアカラー等の技術を習得するために、人頭を模して形成されたカットウィッグ（以下、単に「ウィッグ」と言う）を用いて練習することが知られている。練習を行う際には、作業しやすい高さ位置でウィッグを固定する必要があるため、例えば、ウィッグを固定するウィッグスタンドを用いる。
【０００３】
ウィッグスタンドは、支柱と、支柱の上端側においてウィッグを取り付けるウィッグ取付部と、支柱の下端側に形成された脚部とで主に構成されている。脚部は、例えば、三脚になっており、三脚を開くことで所望の位置にウィッグスタンドを安定して自立させることができる。
【０００４】
ところが、ウィッグ及びウィッグスタンドは軽量であるため、ウィッグスタンドを単に設置しただけでは、作業をする際に設置面に対してウィッグスタンドが移動してしまう。そこで、支柱の下端に３ｋｇ程度の錘を吊り下げたり、三脚に一体的に形成されたプレートを利用者が足で踏みながら作業したりするなどして、設置面に対してウィッグスタンドが動かないようにしていた。
【考案の概要】
【考案が解決しようとする課題】
【０００５】
しかしながら、従来のウィッグスタンドでは、持ち運ぶ際に錘も持ち運ばなければならないため、利用者の負担が大きいという問題があった。また、三脚に一体的に形成されたプレートを足で踏みながら作業をすると、利用者が不自然な姿勢をとらなければならず、利用者の負担が大きいという問題があった。
【０００６】
このような観点から、本考案は、持ち運びがしやすく、設置面に確実に固定することができるウィッグスタンドを提供することを課題とする。
【課題を解決するための手段】
【０００７】
上記課題を解決するために、本考案は、支柱と、前記支柱の一端側に形成されウィッグを取り付けるウィッグ取付部と、前記支柱の他端側に形成された複数の脚と、を有し、各前記脚の先端に、設置面に着脱可能な吸盤が取り付けられていることを特徴とする。
【０００８】
かかる構成によれば、脚の先端に吸盤が取り付けられているため、設置面に対して、ウィッグスタンドを確実に固定できる。また、吸盤であるため着脱も容易となる。また、錘を用いないため軽量化が図れ、持ち運びもしやすい。
【０００９】
また、前記脚の先端と前記吸盤とはボールジョイントを介して連結されていることが好ましい。かかる構成によれば、脚に対して吸盤が回動するため、脚の開き角度にかかわらず吸盤を設置面に吸着させることができ、ウィッグスタンドの着脱を容易に行うことができる。
【００１０】
また、前記吸盤と前記設置面との間に介設する介設シートを有し、この介設シートの前記吸盤側の面には前記吸盤が吸着する被吸着層が形成されており、前記設置面側の面には粘着層が形成されていることが好ましい。かかる構成によれば、被吸着層に吸盤が吸着するとともに、粘着層が形成されているため設置面に対して脚が移動しにくくなる。設置面の材質によっては、吸盤が吸着しにくい場合もあるが、この構成によれば、ウィッグスタンドの取付性を向上させるとともに、安定性を高めることができる。
【考案の効果】
【００１１】
本考案のウィッグスタンドによれば、持ち運びがしやすく、設置面に確実に固定することができる。
【図面の簡単な説明】
【００１２】
【図１】本実施形態に係るウィッグスタンドの全体斜視図である。
【図２】本実施形態に係る吸盤周りの拡大斜視図である。
【考案を実施するための形態】
【００１３】
添付図面を参照しつつ、本考案の実施形態を詳細に説明する。本実施形態のウィッグスタンド１は、図１に示すように、支柱２と、ウィッグ取付部３と、脚部４と、ボールジョイント部５と、吸盤６と、介設シート７とで構成されている。ウィッグスタンド１は、人頭を模したウィッグＷを所定の高さ位置で保持し、自立するスタンドである。
【００１４】
支柱２は、上下方向に延設された金属製の棒状部材である。支柱２の下端側の周囲には、スプリング１１が環装されている。
【００１５】
ウィッグ取付部３は、ブラケット１２と、支持軸１３と、ボールジョイント部１４とで構成されている。ウィッグ取付部３は、ウィッグＷを保持する部位である。ブラケット１２は、支柱２の上端に嵌合された樹脂製の部材である。ブラケット１２の上端には、ボール受け部１５が形成されている。
【００１６】
支持軸１３は、その先端にウィッグＷを保持する金属製の軸部材である。支持軸１３の下端には、球状のボール１６が形成されている。
【００１７】
ボールジョイント部１４は、ボール受け部１５とボール１６で構成されており、ブラケット１２に対して支持軸１３を回動可能に連結する部位である。ボール１６がボール受け１５に嵌合されることにより、ブラケット１２に対して支持軸１３が回動可能となる。また、ブラケット１２には、フック１７が形成されており、フック１７をブラケット１２から離間する方向に開くことで、ボール１６が回動可能となり、フック１７をブラケット１２に近接する方向に絞ることで、ボール１６が回動不能となる。
【００１８】
脚部４は、支柱２の下端側に形成されており、基端部２１と、基端部２１に連結された３本の脚２２とで構成されている。
【００１９】
基端部２１は、樹脂製部材であって、脚２２を支持する部位である。基端部２１には、支柱２が挿通する挿通孔２３が形成されている。基端部２１の側部には、調節ネジ２４が形成されており、基端部２１に対する支柱２の高さ位置が調節可能になっている。スプリング１１は、その自重によって基端部２１に当接している。
【００２０】
脚２２は、支柱２及びウィッグ取付部３を安定して支持する金属製の棒状部材である。各脚２２は、等間隔でヒンジを介して基端部２１に連結されている。これにより、各脚２２は、ヒンジを支点に回動可能になっている。脚２２の上端側の周囲には、スポンジ等で形成されたグリップ２５が形成されている。
【００２１】
ボールジョイント部５は、図１及び図２に示すように、ボール３１と、ソケット３２とで構成されており各脚２２と各吸盤６との間に形成されている。ボール３１は脚２２の下端に形成されている。ソケット３２は、ボール受け部３３と、挿入部３４と、固定ネジ３５とを備えている。
【００２２】
ボール受け部３３は、ソケット３２の上端に形成されており、ボール３１が嵌合される部位である。挿入部３４は、ソケット３２の下端に形成されており、吸盤６の一部が挿入される部位である。固定ネジ３５は、ソケット３２の側部に取り付けられており、ソケット３２に対して吸盤６を固定又は取り外すためのネジである。ボール３１がボール受け部３３に嵌合されることにより、脚２２に対してソケット３２及び吸盤６が回動可能となる。
【００２３】
吸盤６は、ゴム製の部材であって設置面Ｓ又は介設シート７に吸着する部材である。吸盤６は、本体部４１と、突起部４２と、レバー４３とで構成されている。本体部４１は、平面視円形を呈し、上方に半球状に突出して内部が空洞になっている。突起部４２は、本体部４１から上方に立ち上がる部位であって、ソケット３２の挿入部３４に挿入される。レバー４３は、本体部４１に形成されており、本体部４１に対して起立又は傾倒可能に形成されている。レバー４３を起立させることにより本体部４１の空気が抜けて強く吸着するようになっている。また、レバー４３を傾倒させることで本体部４１に空気を入れて容易に外せるようになっている。
【００２４】
介設シート７は、設置面Ｓと吸盤６との間に介設されるシート状部材である。介設シート７は、設置面Ｓに対して吸盤６をより確実に移動不能にするための補助部材であって、必要に応じて適宜使用される。介設シート７は、吸盤６に常時取り付けられていてもよいが、持ち運ぶ際等には吸盤６から外して別体で保管してもよい。
【００２５】
介設シート７は、平面視円形を呈し、吸盤６の直径よりも一回り大きくなっている。介設シート７は、本実施形態では厚さが１ｍｍ程度の合成樹脂製のシートである。介設シート７は、表面側に形成され吸盤６に吸着される被吸着層と、裏面側に形成され設置面Ｓに張着される粘着層を備えている。また、介設シート７の外縁には剥がしやすくするためのニップル５１が形成されている。
【００２６】
被吸着層は、比較的硬質の樹脂で形成されており吸盤６が吸着しやすくなっている。被吸着層は、例えばポリエチレン、アクリル等で成形されている。被吸着層の材料は、吸盤６が吸着しやすい材料であれば特に制限されるものではない。被吸着層は、可撓性を備えた材料で構成してもよい。
【００２７】
粘着層は、粘着性を備えた材料で形成されており、設置面Ｓに張着される。粘着層は、粘着性を備えているため、介設シート７を設置面Ｓに張り付けた際に、水平方向に移動しにくくなっている。一方で、粘着層は設置面Ｓから容易に剥がせるようになっている。粘着層の材料は、粘着性を備えるとともに剥がしやすい材料であれば特に制限されないが、例えばポリウレタン、ポリウレタンエラストマー等を含んだ材料が用いられる。粘着層としてブチルゴム等のゴムを用いてもよい。また、粘着層は、水で洗浄した際に、設置面Ｓへの粘着力が低下しない材料であることが好ましい。
【００２８】
ウィッグスタンド１を使用する際には、まず、床等の平らな設置面Ｓに介設シート７を３枚張り付ける。そして、各介設シート７の被吸着層に、各脚２２の先端に取り付けられた吸盤６を吸着させ、脚部４を安定させる。そして、調節ネジ２４やフック１７でウィッグＷの高さや角度を適宜調節する。
【００２９】
ウィッグスタンド１を取り外す際には、吸盤６のレバー４３を起立させて介設シート７から吸盤６を取り外し、各脚２２を支柱２方向に閉じる。そして、調節ネジ２４を緩めることで、支柱２が脚部４の内部（脚２２，２２，２２の間）に収容され、ウィッグスタンド１の全体がコンパクトになる。介設シート７は、ニップル５１によって吸盤６と一体的に取り外してもよいし、個別に取り外してもよい。
【００３０】
以上説明したウィッグスタンド１によれば、各脚２２の下端に吸盤６が取り付けられているため、設置面Ｓに対してウィッグスタンド１を確実に固定することができる。また、吸盤６であるため、着脱も容易である。また、錘を用いないため軽量化が図れ、持ち運びもしやすい。
【００３１】
また、脚２２と吸盤６とはボールジョイント部５を介して連結されているため、脚２２に対して吸盤６が回動自在となり、ウィッグスタンド１の着脱を容易に行うことができる。
【００３２】
ここで、ウィッグスタンド１は、床、テーブル、イス又はその他平らな面等様々な設置面Ｓに固定することができるが、設置面Ｓの材質によっては吸盤６が吸着しないこともある。また、床等の設置面Ｓは、汚れていることがあるため設置面Ｓに吸盤６を直接吸着させると設置面Ｓのゴミが吸盤６に付着して吸盤６の吸着力が低減するおそれがある。また、吸盤６を設置面Ｓに直接吸着させると、設置面Ｓに吸盤６の吸着痕が残ってしまうおそれがある。
【００３３】
しかし、本実施形態のように、介設シート７を設けることにより、介設シート７に吸盤６が吸着しやすく、かつ、設置面Ｓに対して介設シート７が移動しにくい。これにより、ウィッグスタンド１の取付性が向上するとともに、ウィッグスタンド１を固定した際の安定性を高めることができる。また、介設シート７を介設することで吸盤６の吸着力の低減を回避するとともに、床等の設置面Ｓに吸着痕が残ることを回避できる。
【００３４】
また、調節ネジ２４を備えることにより、支柱２が脚部４の内部に収納されるため、ウィッグスタンド１をコンパクトにすることができる。これにより、持ち運びがより容易になる。また、本実施形態では支柱２にスプリング１１が環装されているため、ウィッグスタンド１をコンパクトにする際に、基端部２１とウィッグ取付部３との衝突を回避できる。
【００３５】
以上本考案の実施形態について説明したが本考案の趣旨に反しない範囲において適宜設計変更が可能である。例えば、本実施形態では脚部４を三脚としたが、ウィッグスタンド１を安定的に自立させることが可能であれば脚は何本であってもよい。
【符号の説明】
【００３６】
１      ウィッグスタンド
２      支柱
３      ウィッグ取付部
４      脚部
５      ボールジョイント部
６      吸盤
７      介設シート
１１    スプリング
１２    ブラケット
１３    支持軸
１４    ボールジョイント部
１５    ボール受け部
１６    ボール
１７    フック
２１    基端部
２２    脚
２３    挿通孔
２４    調節ネジ
２５    グリップ
３１    ボール
３２    ソケット
３３    ボール受け部
３４    挿入部
３５    固定ネジ
４１    本体部
４２    突起部
４３    レバー
５１    ニップル
Ｓ      設置面
Ｗ      ウィッグ（カットウィッグ）
【図１】
0003170222.tif 000003
【図２】
0003170222.tif 000004